(57)【要約】【課題】黒表示の視認性を向上させることができる駆動方法を提供することを目的とする。【解決手段】プラズマディスプレイの駆動方法において、徐々に増加する緩やかな傾斜部分を持つ立ち上がり部と、前記維持期間のロウレベルでの電圧よりも低い電圧に徐々に減少する緩やかな傾斜部分を持つ立ち下がり部とを有する初期化波形を維持期間に放電した放電セルに印加する初期化期間を設け、かつ１フレームの任意の初期化期間の直前に、全放電セルを対象として維持電極と走査電極の間で微弱放電を起こす期間を設けるものである。【選択図】　図１
2004037883.tif 000002
【特許請求の範囲】
【請求項１】
対をなす複数の走査電極および維持電極に交差するように複数のデータ電極を配置し、その走査電極および維持電極とデータ電極との交差部に複数の放電セルを構成し、かつ１フレームを構成する複数のサブフィールド毎に、前記放電セルへの表示信号の書込み期間と、放電セルでの放電を維持させるためにハイレベルおよびロウレベルの繰り返しパルスを印加する維持期間とを有するプラズマディスプレイの駆動方法において、徐々に増加する緩やかな傾斜部分を持つ立ち上がり部と、前記維持期間のロウレベルでの電圧よりも低い電圧に徐々に減少する緩やかな傾斜部分を持つ立ち下がり部とを有する初期化波形を維持期間に放電した放電セルに印加する初期化期間を設け、かつ１フレームの任意の初期化期間の直前に、全放電セルを対象として維持電極と走査電極の間で微弱放電を起こす期間を設けることを特徴とするプラズマディスプレイの駆動方法。
【請求項２】
初期化期間直前の微弱放電から初期化期間の初期化波形の立ち上がり部までの時間を５０μｓｅｃ以下にすることを特徴とする請求項１記載のプラズマディスプレイの駆動方法。
【請求項３】
維持期間の維持放電から初期化期間の初期化波形の立ち上がり部までの時間を５０μｓｅｃ以下にすることを特徴とする請求項１記載のプラズマディスプレイの駆動方法。
【発明の詳細な説明】
【０００１】
【発明の属する技術分野】
本発明は、大画面で、薄型、軽量のディスプレイ装置として知られているプラズマディスプレイの駆動方法に関するものである。
【０００２】
【従来の技術】
従来のＡＣ型のプラズマディスプレイに用いられるプラズマディスプレイパネル（以下、パネルという）の一例を図３に示している。図３に示すように、前面側となる第一のガラス基板１上には、誘電体層２および保護膜３で覆われた複数の走査電極４と維持電極５とが対を成して互いに平行に形成され、そして背面側となる第二のガラス基板６上には、絶縁体層７で覆われた複数のデータ電極８が形成されると共に、データ電極８の間の絶縁体層７上にデータ電極８と平行して隔壁９が設けられ、その絶縁体層７の表面からと隔壁９の側面にかけて蛍光体１０が設けられている。また、第一のガラス基板１と第二のガラス基板６とは、走査電極４および維持電極５とデータ電極８とがほぼ直角に交差するように放電空間１１を挟んで対向して配置され、その放電空間１１には、放電ガスとして、ヘリウム、ネオン、アルゴン、キセノンの内の少なくとも１種類の希ガスが封入されている。そして、隣接する二つの隔壁９に挟まれ、データ電極８とこれに対向する対をなす走査電極４および維持電極５との交差部の放電空間には、複数の放電セル１２が構成されている。
【０００３】
次に、このパネルの電極配列図を図４に示す。図４に示すように、このパネルの電極配列はｍ×ｎのマトリックス構成であり、列方向にはｍ列のデータ電極Ｄ１〜Ｄｍが配列されており、行方向にはｎ行の走査電極ＳＣＮ１〜ＳＣＮｎおよび維持電極ＳＵＳ１〜ＳＵＳｎが配列されている。また、図３に示した放電セル１２は図４に示すように構成されている。
【０００４】
このパネルを表示駆動するための駆動方法の動作駆動タイミング図を図５に示す。この駆動方法は２５６階調の階調表示を行うためのものであり、１フィールド期間を８個のサブフィールドで構成している。以下、従来の駆動方法について図５を用いて説明する。
【０００５】
図５に示すように、第１ないし第８のサブフィールドはそれぞれ初期化期間、書込み期間、維持期間および消去期間から構成されている。まず、第１のサブフィールドにおける動作について説明する。
【０００６】
図５に示すように、初期化期間の前半の初期化動作において、全てのデータ電極Ｄ１〜Ｄｍおよび全ての維持電極ＳＵＳ１〜ＳＵＳｎを０（Ｖ）に保持し、全ての走査電極ＳＣＮ１〜ＳＣＮｎには、全ての維持電極ＳＵＳ１〜ＳＵＳｎに対して放電開始電圧以下となる電圧Ｖｐ（Ｖ）から、放電開始電圧を超える電圧Ｖｒ（Ｖ）に向かって緩やかに上昇するランプ電圧を印加する。このランプ電圧が上昇する間に、全ての放電セル１２において、全ての走査電極ＳＣＮ１〜ＳＣＮｎから全てのデータ電極Ｄ１〜Ｄｍおよび全ての維持電極ＳＵＳ１〜ＳＵＳｎにそれぞれ一回目の微弱な初期化放電が起こり、走査電極ＳＣＮ１〜ＳＣＮｎ上の保護膜３の表面に負の壁電圧が蓄積されるとともに、データ電極Ｄ１〜Ｄｍ上の絶縁体層７の表面および維持電極ＳＵＳ１〜ＳＵＳｎ上の保護膜３の表面には正の壁電圧が蓄積される。
【０００７】
さらに、初期化期間の後半の初期化動作において、全ての維持電極ＳＵＳ１〜ＳＵＳｎを正電圧Ｖｈ（Ｖ）に保ち、全ての走査電極ＳＣＮ１〜ＳＣＮｎには、全ての維持電極ＳＵＳ１〜ＳＵＳｎに対して放電開始電圧以下となる電圧Ｖｑ（Ｖ）から放電開始電圧を超える０（Ｖ）に向かって緩やかに下降するランプ電圧を印加する。このランプ電圧が下降する間に、再び全ての放電セル１２において、全ての維持電極ＳＵＳ１〜ＳＵＳｎから全ての走査電極ＳＣＮ１〜ＳＣＮｎにそれぞれ二回目の微弱な初期化放電が起こり、走査電極ＳＣＮ１〜ＳＣＮｎ上の保護膜３表面の負の壁電圧および維持電極ＳＵＳ１〜ＳＵＳｎ上の保護膜３表面の正の壁電圧が弱められる。一方、データ電極Ｄ１〜Ｄｍ上の絶縁体層７の表面の正の壁電圧はそのまま保たれる。以上により初期化期間の初期化動作が終了する。
【０００８】
次の書込み期間の書込み動作において、全ての走査電極ＳＣＮ１〜ＳＣＮｎをＶｓ（Ｖ）に保持し、データ電極Ｄ１〜Ｄｍのうち、第一行目に表示すべき放電セル１２に対応する所定のデータ電極に正の書込みパルス電圧＋Ｖｗ（Ｖ）を、第一行目の走査電極ＳＣＮ１に走査パルス電圧０（Ｖ）をそれぞれ印加する。このとき、所定のデータ電極と走査電極ＳＣＮ１との交差部における絶縁体層７の表面と走査電極ＳＣＮ１上の保護膜３の表面との間の電圧は、書込みパルス電圧＋Ｖｗ（Ｖ）にデータ電極Ｄ１〜Ｄｍ上の絶縁体層７の表面の正の壁電圧が加算されたものとなるため、この交差部において、所定のデータ電極と走査電極ＳＣＮ１との間および維持電極ＳＵＳ１と走査電極ＳＣＮ１との間に書込み放電が起こり、この交差部の走査電極ＳＣＮ１上の保護膜３表面に正電圧が蓄積され、維持電極ＳＵＳ１上の保護膜３表面に負電圧が蓄積され、書込み放電が起こったデータ電極上の絶縁体層７の表面に負電圧が蓄積される。
【０００９】
次に、データ電極Ｄ１〜Ｄｍのうち、第二行目に表示すべき放電セル１２に対応する所定のデータ電極に正の書込みパルス電圧＋Ｖｗ（Ｖ）を、第二行目の走査電極ＳＣＮ２に走査パルス電圧０（Ｖ）をそれぞれ印加する。このとき、所定のデータ電極と走査電極ＳＣＮ２との交差部における絶縁体層７の表面と走査電極ＳＣＮ２上の保護膜３の表面との間の電圧は、書込みパルス電圧＋Ｖｗ（Ｖ）に所定のデータ電極上の絶縁体層７の表面の正の壁電圧が加算されたものとなるため、この交差部において、所定のデータ電極と走査電極ＳＣＮ２との間および維持電極ＳＵＳ２と走査電極ＳＣＮ２との間に書込み放電が起こり、この交差部の走査電極ＳＣＮ２上の保護膜３表面に正電圧が蓄積され、維持電極ＳＵＳ２上の保護膜３表面に負電圧が蓄積される。
【００１０】
同様な動作が引き続いて行われ、最後に、データ電極Ｄ１〜Ｄｍのうち、第ｎ行目に表示すべき放電セル１２に対応する所定のデータ電極に正の書込みパルス電圧＋Ｖｗ（Ｖ）を、第ｎ行目の走査電極ＳＣＮｎに走査パルス電圧０（Ｖ）をそれぞれ印加する。このとき、所定のデータ電極と走査電極ＳＣＮｎとの交差部において、所定のデータ電極と走査電極ＳＣＮｎとの間および維持電極ＳＵＳｎと走査電極ＳＣＮｎとの間に書込み放電が起こり、この交差部の走査電極ＳＣＮｎ上の保護膜３表面に正電圧が蓄積され、維持電極ＳＵＳｎ上の保護膜３表面に負電圧が蓄積され、書込み放電が起こったデータ電極上の絶縁体層７の表面に負電圧が蓄積される。以上により書込み期間における書込み動作が終了する。
【００１１】
続く維持期間において、先ず、全ての走査電極ＳＣＮ１〜ＳＣＮｎおよび維持電極ＳＵＳ１〜ＳＵＳｎを０（Ｖ）に一旦戻した後、全ての走査電極群ＳＣＮ１〜ＳＣＮｎに正の維持パルス電圧＋Ｖｍ（Ｖ）を印加すると、書込み放電を起こした放電セル１２における走査電極ＳＣＮ１〜ＳＣＮｎ上の保護膜３と維持電極ＳＵＳ１〜ＳＵＳｎ上の保護膜３との間の電圧は、維持パルス電圧＋Ｖｍ（Ｖ）に、書込み期間において蓄積された走査電極ＳＣＮ１〜ＳＣＮｎ上の保護膜３表面の正電圧および維持電極ＳＵＳ１〜ＳＵＳｎ上の保護膜３表面の負電圧が加算されたものとなる。このため、書込み放電を起こした放電セルにおいて、走査電極ＳＣＮ１〜ＳＣＮｎと維持電極ＳＵＳ１〜ＳＵＳｎとの間に維持放電が起こり、この維持放電を起こした放電セルにおける走査電極ＳＣＮ１〜ＳＣＮｎ上の保護膜３表面に負電圧が蓄積され、維持電極ＳＵＳ１〜ＳＵＳｎ上の保護膜３表面に正電圧が蓄積される。その後、維持パルス電圧は０（Ｖ）に戻る。
【００１２】
続いて、全ての維持電極ＳＵＳ１〜ＳＵＳｎに正の維持パルス電圧＋Ｖｍ（Ｖ）を印加すると、維持放電を起こした放電セル１２における維持電極ＳＵＳ１〜ＳＵＳｎ上の保護膜３と走査電極ＳＣＮ１〜ＳＣＮｎ上の保護膜３との間の電圧は、維持パルス電圧＋Ｖｍ（Ｖ）に、直前の維持放電によって蓄積された走査電極ＳＣＮ１〜ＳＣＮｎ上の保護膜３表面の負電圧および維持電極ＳＵＳ１〜ＳＵＳｎ上の保護膜３表面の正電圧が加算されたものとなる。このため、この維持放電を起こした放電セルにおいて、維持電極ＳＵＳ１〜ＳＵＳｎと走査電極ＳＣＮ１〜ＳＣＮｎとの間に維持放電が起こることにより、その放電セルにおける維持電極ＳＵＳ１〜ＳＵＳｎ上の保護膜３表面に負電圧が蓄積され、走査電極ＳＣＮ１〜ＳＣＮｎ上の保護膜３表面に正電圧が蓄積される。その後、前記維持パルス電圧は０（Ｖ）に戻る。
【００１３】
以降同様に、全ての走査電極ＳＣＮ１〜ＳＣＮｎと全ての維持電極ＳＵＳ１〜ＳＵＳｎとに正の維持パルス電圧＋Ｖｍ（Ｖ）を交互に印加することにより、維持放電が継続して行われ、維持期間の最終において、全ての走査電極ＳＣＮ１〜ＳＣＮｎに正の維持パルス電圧＋Ｖｍ（Ｖ）を印加すると、維持放電を起こした放電セル１２における走査電極ＳＣＮ１〜ＳＣＮｎ上の保護膜３と維持電極ＳＵＳ１〜ＳＵＳｎ上の保護膜３との間の電圧は、維持パルス電圧＋Ｖｍ（Ｖ）に、直前の維持放電によって蓄積された走査電極ＳＣＮ１〜ＳＣＮｎ上の保護膜３表面の正電圧と維持電極ＳＵＳ１〜ＳＵＳｎ上の保護膜３表面の負電圧が加算されたものとなる。このため、この維持放電を起こした放電セルにおいて、走査電極ＳＣＮ１〜ＳＣＮｎと維持電極ＳＵＳ１〜ＳＵＳｎとの間に維持放電が起こることにより、その放電セルにおける走査電極ＳＣＮ１〜ＳＣＮｎ上の保護膜３表面に負電圧が蓄積され、維持電極ＳＵＳ１〜ＳＵＳｎ上の保護膜３表面に正電圧が蓄積される。その後、維持パルス電圧は０（Ｖ）に戻る。以上により維持期間の維持動作が終了する。この維持放電により発生する紫外線で励起された蛍光体１０からの可視発光を表示に用いている。
【００１４】
続く消去期間において、全ての維持電極ＳＵＳ１〜ＳＵＳｎに０（Ｖ）から＋Ｖｅ（Ｖ）に向かって緩やかに上昇するランプ電圧を印加すると、維持放電を起こした放電セル１２において、走査電極ＳＣＮ１〜ＳＣＮｎ上の保護膜３と維持電極ＳＵＳ１〜ＳＵＳｎ上の保護膜３との間の電圧は、維持期間の最終時点における、走査電極ＳＣＮ１〜ＳＣＮｎ上の保護膜３表面の負電圧および維持電極ＳＵＳ１〜ＳＵＳｎ上の保護膜３表面の正電圧がこのランプ電圧に加算されたものとなる。このため、維持放電を起こした放電セルにおいて、維持電極ＳＵＳ１〜ＳＵＳｎと走査電極ＳＣＮ１〜ＳＣＮｎとの間に微弱な消去放電が起こり、走査電極ＳＣＮ１〜ＳＣＮｎ上の保護膜３表面の負電圧と維持電極ＳＵＳ１〜ＳＵＳｎ上の保護膜３表面の正電圧が弱められて維持放電は停止する。以上により消去期間における消去動作が終了する。
【００１５】
ただし、以上の動作において、表示が行われない放電セルに関しては、初期化期間に初期化放電は起こるが、書込み放電、維持放電および消去放電は行われず、表示が行われない放電セルの走査電極ＳＣＮ１〜ＳＣＮｎと維持電極ＳＵＳ１〜ＳＵＳｎの保護膜３の表面の壁電圧、およびデータ電極Ｄ１〜Ｄｍ上の絶縁体層７の表面の壁電圧は、初期化期間の終了時の状態のまま保たれる。
【００１６】
以上の全ての動作により第１のサブフィールドにおける一画面が表示される。以下、同様な動作が、第２のサブフィールドから第８のサブフィールドにわたって行われる。これらのサブフィールドにおいて表示される放電セルの輝度は、前記維持パルス電圧＋Ｖｍ（Ｖ）の印加回数により定まる。従って、詳しい説明は省略するが、例えば、各サブフィールドにおける維持パルス電圧の印加回数を適宜設定して、１フィールド期間に維持放電による輝度が２０、２１、２２、…２７である８個のサブフィールドで構成することにより、２８＝２５６階調の階調表示が可能になる。
【００１７】
以上説明した従来の駆動方法においては、パネルに表示する放電セルが全くない、いわゆる黒画面の表示においては、書込み期間の書込み放電、維持期間の維持放電および消去期間の消去放電が起こらず、初期化期間の初期化放電のみが起こり、この初期化放電が微弱であり、その放電発光もまた微弱であるために、パネルのコントラストが高いという特長がある。例えば、４８０行、８５２×３列のマトリックス構成を成す４２”ＡＣ型プラズマディスプレイパネルにおいて、１フィールド期間を８個のサブフィールドで構成して２５６階調表示を行った場合、各サブフィールドの初期化期間における二回の初期化放電による発光輝度は０．１５ｃｄ／ｍ２であった。したがって、８個のサブフィールドでの合計は０．１５×８＝１．２ｃｄ／ｍ２となり、最大輝度は４２０ｃｄ／ｍ２であるので、このパネルのコントラストは４２０／１．２：１＝３５０：１となり、かなり高い値のコントラストが得られる。
【００１８】
【発明が解決しようとする課題】
しかし、上述の従来の駆動方法においては、初期化期間に走査電極に電圧Ｖｒへ向かって上昇するランプ波形を印加しており、初期化期間直前の維持放電の有無に依らず、パネル面内全てのセルにおいて、走査電極、維持電極、データ電極間で初期化放電が起こる。さらにサブフィールド毎に初期化期間を設けていたために、サブフィールド毎に必ず、全セルにおいて初期化放電が起こり、周囲が暗いところでパネル表示する場合には微弱な初期化放電による発光でさえも目立つほど輝度が高くなり、黒表示の視認性が悪いという大きな課題があった。
【００１９】
本発明はこのような課題を解決し、黒表示時の発光輝度を下げて黒表示の視認性を向上させることを目的とするものである。
【００２０】
【課題を解決するための手段】
上記目的を達成するために本発明は、プラズマディスプレイの駆動方法において、徐々に増加する緩やかな傾斜部分を持つ立ち上がり部と、前記維持期間のロウレベルでの電圧よりも低い電圧に徐々に減少する緩やかな傾斜部分を持つ立ち下がり部とを有する初期化波形を維持期間に放電した放電セルに印加する初期化期間を設け、かつ１フレームの任意の初期化期間の直前に、全放電セルを対象として維持電極と走査電極の間で微弱放電を起こす期間を設けることを特徴とするものである。
【００２１】
【発明の実施の形態】
すなわち、本発明の請求項１に記載の発明は、対をなす複数の走査電極および維持電極に交差するように複数のデータ電極を配置し、その走査電極および維持電極とデータ電極との交差部に複数の放電セルを構成し、かつ１フレームを構成する複数のサブフィールド毎に、前記放電セルへの表示信号の書込み期間と、放電セルでの放電を維持させるためにハイレベルおよびロウレベルの繰り返しパルスを印加する維持期間とを有するプラズマディスプレイの駆動方法において、徐々に増加する緩やかな傾斜部分を持つ立ち上がり部と、前記維持期間のロウレベルでの電圧よりも低い電圧に徐々に減少する緩やかな傾斜部分を持つ立ち下がり部とを有する初期化波形を維持期間に放電した放電セルに印加する初期化期間を設け、かつ１フレームの任意の初期化期間の直前に、全放電セルを対象として維持電極と走査電極の間で微弱放電を起こす期間を設けることを特徴とするプラズマディスプレイの駆動方法である。
【００２２】
また、請求項２に記載の発明は、請求項１において、初期化期間直前の微弱放電から初期化期間の初期化波形の立ち上がり部までの時間を５０μｓｅｃ以下にすることを特徴とする。
【００２３】
また、請求項３に記載の発明は、請求項１において、維持期間の維持放電から初期化期間の初期化波形の立ち上がり部までの時間を５０μｓｅｃ以下にすることを特徴とする。
【００２４】
以下、本発明の一実施の形態による駆動方法について、図面を参照しながら具体的に説明する。なお、パネルの構成および電極の配列状態は従来例のものと同様であるので、それらの説明は省略する。
【００２５】
図１は本発明の一実施の形態による駆動方法において、１フレーム内における駆動動作タイミング図である。なお、この図には理解を容易にするために走査電極、維持電極とに印加される電圧の波形については、一対のＳＣＮｉ、ＳＵＳｉに印加される電圧波形のみを記載しているが、他の電極対についても同様な電圧波形が印加される。
【００２６】
図１に示すように、１フレームを複数（例えば８つ）のサブフィールドによって構成する（図面では第１サブフィールドおよび第２サブフィールドのみ記載）。そして、各サブフィールドは初期化期間、書込み期間、維持期間の３期間からなる。そして、各サブフィールドの書込み期間の書込み動作でアドレス指定されて表示信号の書込みが行われた放電セルのみが、維持期間において、放電セルでの放電を維持させるためにハイレベルおよびロウレベルの繰り返しパルスを印加する維持動作で点灯されることによって、所望の階調が表現される。
【００２７】
第１サブフィールドの初期化期間には、全セル初期化として、維持電極にＶｅの振幅のパルスを加え、走査電極側に、Ｖａの電圧に向かって徐々に減少する立ち下がりのランプ電圧Ｌａ１を加える。このとき維持電極と走査電極間の電位差は、放電開始電圧を超えた電圧に設定されており、パネルの全セルを対象として維持電極と走査電極間に微弱放電を発生させる。この全セル初期化動作によって維持電極側には負の壁電荷を、走査電極側には正の壁電荷をそれぞれ形成させる。
【００２８】
このときに発生する微弱放電は、ランプ電圧によって発光するため、維持期間中のパルス電圧による発光よりもかなり微小な発光である。また、全セル初期化を行って維持電極、走査電極側に蓄積させた壁電荷の状態は、図１の維持期間で放電を行ったセルの維持期間終了後の維持電極、走査電極上の壁電荷状態と酷似している。
【００２９】
このようにランプ放電を用いて、維持期間の維持終了後の壁電圧と同等の状態にすることにより、続く初期化期間の駆動波形を、１サブフィールド以外の維持期間の後に続く初期化期間の駆動波形と同様の波形を印加することが可能となる。
【００３０】
上記ランプ電圧で全放電セルを対象として維持電極と走査電極の間で微弱放電を起こす期間を設けることで、１フィールド期間中に放電に失敗した放電セルや、パネルの面内で特性のばらつく放電セルに対して初期化を行うことができ、不灯現象や、異常な壁電荷の蓄積による誤放電現象を未然に防ぎ、安定した表示を行うことができる。
【００３１】
その後、初期化期間で走査電極に、電圧Ｖｓに向かい徐々に増加する緩やかな傾斜部分を持つ立ち上がり部を有するランプ電圧Ｌａ２を印加することで、維持電極、走査電極間では放電開始電圧を超えて微弱放電が発生し、維持電極、走査電極上に溜まった壁電荷の消去を行う。その後、維持電極側に電圧Ｖｈのランプ電圧、走査電極側に維持期間のロウレベルでの電圧よりも低い電圧Ｖａに向かって徐々に減少する緩やかな傾斜部分を持つ立ち下がり部を有するランプ電圧Ｌａ３を加える。このとき、走査電極側の電圧Ｖａは走査電極とデータ電極の放電開始電圧近辺に、そして、維持電極側の電圧ＶｈはＶａ＋Ｖｈが走査電極と維持電極間の放電開始電圧近辺の所望の電圧に設定することにより、続く書込み期間で正常な書込み動作が可能となる。
【００３２】
第２サブフィールド目以降の初期化期間では、前述した第１サブフィールドで用いられたランプ電圧Ｌａ２と同様の傾きで、最大電圧Ｖｓへ向かって徐々に上昇するランプ電圧Ｌａ４と第１サブフィールドで用いられた電圧Ｖａに向かって徐々に減少するランプ電圧Ｌａ３を有する。
【００３３】
第２サブフィールド以降では初期化直前の維持期間での放電の有無で初期化期間での放電の様子は変わってくる。維持期間で放電したセルは維持期間終了後、維持電極側に負の壁電圧、走査電極側に正の壁電圧を有しているため、後の初期化期間の走査電極側に立ち上がりランプ電圧Ｌａ４を走査電極に加えることにより、走査電極、維持電極間では放電開始電圧を超え微弱放電が発生し、維持電極側の正の壁電圧、走査電極側の負の壁電圧を減少させる。この立ち上がりランプ電圧Ｌａ４での放電は微弱放電であり、この微弱放電は、維持期間で放電したセルのみが続く初期化期間で放電するものであり、かかる微弱放電による発光は維持の発光にプラスされるだけで、黒の視認性を悪化させるものではない。
【００３４】
次に第１サブフィールドの初期化期間と同様に、維持電極側に電圧Ｖｈのランプ電圧を加え、走査電極側にＶａに向かって徐々に減少するランプ電圧Ｌａ３を加える。このとき走査電極側の電圧Ｖａは走査電極と維持電極間の電圧が放電開始電圧近辺に、そして、維持電極側の電圧Ｖｈは走査電極と維持電極間の放電開始電圧近辺の電圧になるように所望の電圧に設定することにより、続く書込み期間で正常な書込み動作が可能となる。
【００３５】
また、維持期間で放電しなかったセルの維持期間終了後の走査電極、維持電極上の壁電圧は前の初期化期間終了後の状態を保持しており、壁電圧は０近傍であるので、初期化期間の立ち上がりランプ電圧Ｌａ４では放電を起こさない。
【００３６】
初期化期間の立ち上がりランプの最終電圧Ｖｓであるが、直前の維持期間に放電しなかったセルは、この立ち上がりランプ電圧Ｌａ４では放電せず、直前の維持期間で放電したセルに対しては、微弱放電を起こす電圧に設定されており、例えばＶｍ≦Ｖｓ≦Ｖｍ＋５０の電圧範囲にすることが望ましい。
【００３７】
次に第１サブフィールドの初期化期間と同様に、維持電極側に電圧Ｖｈのランプ電圧を加え、走査電極側にＶａに向かって徐々に減少するランプ電圧Ｌａ３を加える。このとき走査電極側の電圧Ｖａは走査電極と維持電極間の電圧が放電開始電圧近辺に、そして、維持電極側の電圧Ｖｈは走査電極と維持電極間の放電開始電圧近辺の電圧になるように所望の電圧に設定することにより、続く書込み期間で正常な書込み動作が可能となる。
【００３８】
このように図１のような駆動波形を加えることにより、維持期間内で放電を行ったセルのみが、続く初期化期間での初期化動作を行うことで、従来例のような毎サブフィールドに全セル初期化を加えずとも正常な書込み放電を起こすことができ、サブフィールド毎の全セル初期化が省略される。
【００３９】
図２にランプ電圧Ｌａ１終了からランプ電圧Ｌａ２印加までの時間と、その最大電圧Ｖｓの関係を示している。最大電圧Ｖｓはランプ電圧Ｌａ２で放電の対象となるセルが微弱放電を起こし、誤放電なく放電を起こすのに必要な電圧である。このＶｓが低すぎると、ランプ電圧Ｌａ２での微弱放電が正常に行われず、後の書込み、維持期間で誤点灯や、点灯不良などの不具合が発生する。
【００４０】
図２に示すように、ランプ電圧Ｌａ１が終了してから、ランプ電圧Ｌａ２の立ち上がりまでの時間Ｔ１を５０μｓｅｃ以下にすることで、ランプ電圧Ｌａ２に必要な電圧Ｖｓを下げることができる。これはランプ電圧Ｌａ１の際に発生した微弱放電のプライミングを受けて、ランプ電圧Ｌａ２での消去放電を放電させやすくし、最大電圧Ｖｓを低く設定することが可能となる。
【００４１】
同様に、維持期間での維持パルスの最終放電の終了から初期化期間の立ち上がりランプ電圧Ｌａ４までの時間Ｔ２においても、５０μｓｅｃ以下にすることで、ランプ電圧Ｌａ４での消去放電を放電させやすくし、最大電圧Ｖｓを小さくすることができ、同時に安定放電を行うことができる。
【００４２】
以上説明したように本発明の駆動方法によれば、全セル初期化は第１サブフィールドのみで行われ、第２サブフィールド以降ではアドレス指定され維持動作で点灯したセルだけが初期化されることになるので、点灯しないセルに対しても初期化処理を施すという無駄な処理が施されないため、黒輝度のレベルを下げることが可能となる。例えば、４８０行、８５２×３列のマトリクス構成をなす４２インチＰＤＰにおいて、１ＴＶフィールドを８つのサブフィールドで構成した場合、最大輝度が４２０ｃｄ／ｍ２となったのに対して、第１サブフィールドの初期化期間における初期化放電の輝度は０．１ｃｄ／ｍ２となり、従来例と比べて大幅な黒輝度を下げることができる。この結果パネルのコントラストも４２０／０．１：１＝４２００：１となり、きわめて高いコントラストが実現される。
【００４３】
なお、上記の説明では、第１サブフィールドの初期化期間内に全セル初期化を行う場合を説明したが、これに限らず、全セル初期化は第２サブフィールド以降の初期化期間中に設けても良い。
【００４４】
【発明の効果】
以上説明したように本発明の駆動方法によれば、点灯しない放電セルに対しても初期化処理を施すという無駄な処理が施されないため、黒輝度のレベルを下げることができるという効果が得られる。
【図面の簡単な説明】
【図１】本発明の一実施の形態によるプラズマディスプレイの駆動方法における駆動動作タイミング図
【図２】ランプ電圧Ｌａ１印加終了からランプ電圧Ｌａ２印加までの時間Ｔ１および、ランプ放電に必要な最大電圧Ｖｓの関係を示す図
【図３】プラズマディスプレイパネルの構成を示す斜視図
【図４】同プラズマディスプレイパネルの電極配列を示す説明図
【図５】従来の駆動方法における駆動動作タイミング図
【符号の説明】
ＳＣＮ１〜ＳＣＮｎ　走査電極
ＳＵＳ１〜ＳＵＳｎ　維持電極
Ｄ１〜Ｄｍ　データ電極
Ｌａ１、Ｌａ２、Ｌａ３、Ｌａ４　ランプ電圧
１、６　ガラス基板
２　誘電体層
３　保護膜
４　走査電極
５　維持電極
７　絶縁体層
８　データ電極
９　隔壁
１０　蛍光体
１１　放電空間
１２　放電セル
【図１】
2004037883.tif 000003
【図２】
2004037883.tif 000004
【図３】
2004037883.tif 000005
【図４】
2004037883.tif 000006
【図５】
2004037883.tif 000007